【手続補正書】
【提出日】平成20年7月1日(2008.7.1)
【手続補正１】
【補正対象書類名】明細書
【補正対象項目名】請求項１
【補正方法】変更
【補正の内容】
【請求項１】
素材データを転送対象とし同一のハードウェア資源を用いる複数の放送用転送処理を少なくとも一期間は並行して実行することにより、素材データの放送を行うノンリニア放送システムであって、
素材データを含む映像データファイルを格納している記録媒体である素材格納手段と、
前記記録媒体から読み出された素材データを一時的に保持するメモリであるキャッシュ手段と、
前記各放送用転送処理の処理対象である素材データがどの映像データファイルのどの範囲であるかを特定する処理対象特定情報を記憶する処理対象特定情報記憶手段と、
前記各放送用転送処理についての実行が予定されている期間を示す期間情報を記憶している期間情報記憶手段と、
前記期間情報に示された各期間中において、対応する放送用転送処理に、前記処理対象特定情報に基づいて当該放送用転送処理が必要とする分量のハードウェア資源を割り当てる第１割当手段と、
前記第１割当手段が前記各放送用転送処理に対して割り当てた結果として余る、前記ハードウェア資源の余剰分量を算定する余剰分量算定手段と、
前記各放送用転送処理以外の処理である１又は複数のバックグラウンド転送処理に対して、前記余剰分量算定手段により算定された余剰分量の範囲内で最大限にハードウェア資源を割り当てる第２割当手段と、
前記第１割当手段により割り当てられた分量のハードウェア資源を用いて前記放送用転送処理を実行し、前記第２割当手段により割り当てられた分量のハードウェア資源を用いて前記バックグラウンド転送処理を実行する処理実行手段とを備え、
前記ハードウェア資源は前記記録媒体へのアクセス用の帯域であり、
前記第１割当手段は、複数の放送用転送処理が同一の映像データファイルの同一範囲を処理対象としている場合に、当該複数の放送用転送処理それぞれのうち後の期間に転送を行う方については、例外的にハードウェア資源の前記割り当てを行わず、
前記処理実行手段は、例外的にハードウェア資源の割り当てが行われなかった放送用転送処理については、前記記録媒体にアクセスを行う代わりに前記キャッシュ手段にアクセスして素材データを読み出すことにより、当該放送用転送処理を実行する
ことを特徴とするノンリニア放送システム。
【手続補正２】
【補正対象書類名】明細書
【補正対象項目名】請求項１０
【補正方法】変更
【補正の内容】
【請求項１０】
素材データを転送対象とし同一のハードウェア資源を用いる複数の放送用転送処理を少なくとも一期間は並行して実行することにより、素材データの放送を行うノンリニア放送システムにおいて各処理にハードウェア資源を割り当てるハードウェア資源割り当て方法であって、
前記ノンリニア放送システムは、素材データを含む映像データファイルを格納している記録媒体である素材格納手段と、前記記録媒体から読み出された素材データを一時的に保持するメモリであるキャッシュ手段と、前記各放送用転送処理の処理対象である素材データがどの映像データファイルのどの範囲であるかを特定する処理対象特定情報を記憶する処理対象特定情報記憶手段と、前記各放送用転送処理についての実行が予定されている期間を示す期間情報を記憶している期間情報記憶手段とを備えており、
前記ハードウェア資源割り当て方法は、
前記期間情報に示された各期間中において、対応する放送用転送処理に、前記処理対象特定情報に基づいて当該放送用転送処理が必要とする分量のハードウェア資源を割り当てる第１割当ステップと、
前記第１割当ステップにより前記各放送用転送処理に対して割り当てた結果として余る、前記ハードウェア資源の余剰分量を算定する余剰分量算定ステップと、
前記各放送用転送処理以外の処理である１又は複数のバックグラウンド転送処理に対して、前記余剰分量算定ステップにより算定された余剰分量の範囲内で最大限にハードウェア資源を割り当てる第２割当ステップとを含み、
前記ノンリニア放送システムは、前記第１割当ステップにより割り当てられた分量のハードウェア資源を用いて前記放送用転送処理を実行し、前記第２割当ステップにより割り当てられた分量のハードウェア資源を用いて前記バックグラウンド転送処理を実行する処理実行手段を備え、
前記ハードウェア資源は前記記録媒体へのアクセス用の帯域であり、
前記第１割当ステップは、複数の放送用転送処理が同一の映像データファイルの同一範囲を処理対象としている場合に、当該複数の放送用転送処理それぞれのうち後の期間に転送を行う方については、例外的にハードウェア資源の前記割り当てを行わず、
前記処理実行手段は、例外的にハードウェア資源の割り当てが行われなかった放送用転送処理については、前記記録媒体にアクセスを行う代わりに前記キャッシュ手段にアクセスして素材データを読み出すことにより、当該放送用転送処理を実行する
ことを特徴とするハードウェア資源割り当て方法。
【手続補正３】
【補正対象書類名】明細書
【補正対象項目名】請求項１６
【補正方法】変更
【補正の内容】
【請求項１６】
プログラム実行機能を有し、素材データを転送対象とし同一のハードウェア資源を用いる複数の放送用転送処理を少なくとも一期間は並行して実行することにより、素材データの放送を行うノンリニア放送システムに対して、ハードウェア資源割り当て制御手順を行わせるためのプログラムであって、
前記ノンリニア放送システムは、素材データを含む映像データファイルを格納している記録媒体である素材格納手段と、前記記録媒体から読み出された素材データを一時的に保持するメモリであるキャッシュ手段と、前記各放送用転送処理の処理対象である素材データがどの映像データファイルのどの範囲であるかを特定する処理対象特定情報を記憶する処理対象特定情報記憶手段と、前記各放送用転送処理についての実行が予定されている期間を示す期間情報を記憶している期間情報記憶手段とを備えており、
前記ハードウェア資源割り当て制御手順は、
前記期間情報に示された各期間中において、対応する放送用転送処理に、前記処理対象特定情報に基づいて当該放送用転送処理が必要とする分量のハードウェア資源を割り当てる第１割当ステップと、
前記第１割当ステップにより前記各放送用転送処理に対して割り当てた結果として余る、前記ハードウェア資源の余剰分量を算定する余剰分量算定ステップと、
前記各放送用転送処理以外の処理である１又は複数のバックグラウンド転送処理に対して、前記余剰分量算定ステップにより算定された余剰分量の範囲内で最大限にハードウェア資源を割り当てる第２割当ステップとを含み、
前記ノンリニア放送システムは、前記第１割当ステップにより割り当てられた分量のハードウェア資源を用いて前記放送用転送処理を実行し、前記第２割当ステップにより割り当てられた分量のハードウェア資源を用いて前記バックグラウンド転送処理を実行する処理実行手段を備え、
前記ハードウェア資源は前記記録媒体へのアクセス用の帯域であり、
前記第１割当ステップは、複数の放送用転送処理が同一の映像データファイルの同一範囲を処理対象としている場合に、当該複数の放送用転送処理それぞれのうち後の期間に転送を行う方については、例外的にハードウェア資源の前記割り当てを行わず、
前記処理実行手段は、例外的にハードウェア資源の割り当てが行われなかった放送用転送処理については、前記記録媒体にアクセスを行う代わりに前記キャッシュ手段にアクセスして素材データを読み出すことにより、当該放送用転送処理を実行する
ことを特徴とするプログラム。